(57)【要約】【課題】従来の光ディスク装置は、記録媒体例えば光ディスクのテストトラックへの試し書きで決定したデータ記録パワーは、テストトラックについた傷や埃等又は記録時のノイズの重畳により、本来のデータ記録パワーの最適値からずれている可能性があった。【解決手段】本発明は、半導体レーザ８から出射するレーザ光５により、光ディスク２へ情報を記録又読み出し再生する光ディスク装置であり、前記レーザ光５により情報を記録する前に、光ディスク２のテストエリアへ試し書きを行い、仮の記録用レーザ光のパワーを設定し、この仮の記録用レーザ光５のパワーに対して、予め定めた所定幅内の上限側、下限側に変化させた記録用レーザ光５で記録し、その読み出し確認による正常な記録の可不可を判定し、不可である場合には、仮の記録用レーザ光のパワー設定を所定幅内で正常な記録がなされるように半導体レーザ５へ供給する駆動電流を補正する光ディスク装置及びその記録再生方法である。【選択図】    図１
2005071533.tif 000002
【特許請求の範囲】
【請求項１】
半導体レーザから出射する記録又は再生用レーザ光により、情報を光ディスクへ記録又は、記録された情報を読み出し再生する光ディスク装置において、
前記記録用レーザ光により情報を記録する前に、前記光ディスクのテストエリアへ試し書きを行い、仮の記録用レーザ光のパワーを設定し、この仮の記録用レーザ光のパワーを予め定めた所定幅内の上限側、下限側に変化させた試し書き用データを記録し、これらの読み出し確認による正常な記録の可不可を検出して、不可であった場合には、前記仮の記録用レーザ光のパワーを前記所定幅内で正常な記録がなされるように設定を補正する制御部を具備すること特徴とする光ディスク装置。
【請求項２】
前記光ディスク装置において、
前記所定幅内の上限側及び下限側は、記録用レーザ光のパワーに対する上限のマージン及び下限のマージンを規定することを特徴とする請求項１に記載の光ディスク装置。
【請求項３】
半導体レーザから出射する記録又は再生用レーザ光により、情報を光ディスクへ記録又は、記録された情報を読み出し再生する光ディスク装置において、
前記記録用レーザ光により情報を記録する前に、前記光ディスクのテストエリアへ試し書きを行い、仮の記録用レーザ光のパワーを設定し、
所定幅内で前記仮の記録用レーザ光のパワーよりも下限側の第１の記録用レーザ光のパワーにより試し書き用データを記録する第１の記録を行い、この第１の記録が不可であった場合には、前記下限側より高いパワーを設定する第１の補正を行い再記録を行い、
前記第１の記録が正常であった場合には、さらに順次下限側になるように設定を補正される第２の記録用レーザ光のパワーにより試し書き用データを記録する第２の記録を行い、この第２の記録が不可になった場合には、前記仮の記録用レーザ光のパワーを設定する制御部を具備すること特徴とする光ディスク装置。
【請求項４】
第２の記録用レーザ光のパワーは、前記所定幅内の下限側の第１の記録用レーザ光のパワーの正常動作を保証する下限のマージンとなることを特徴とする請求項３に記載の光ディスク装置。
【請求項５】
記録または再生用レーザ光を出射する半導体レーザと、
再生用電流及び記録用電流を前記半導体レーザに供給するレーザ駆動手段と、
記録媒体に記録された記録情報を、前記半導体レーザからの再生光を用いて記録情報を読み出し再生する情報再生手段と、有し、記録媒体上のテストエリアで試し書きを行い、データ記録時のレーザ光のライトパワーを設定する光ディスク装置において、
試し書きで決定したデータ記録パワーに対して、該データ記録パワーを変化させて情報を記録し、この記録された情報を再生した結果に基づき、前記試し書きで決定した前記データ記録パワーにより正常に記録されるか確認し、正常でない場合には、試し書きで決定したデータ記録パワーを補正することを特徴とする光ディスク装置。
【請求項６】
前記光ディスク装置において、
前記記録媒体は、情報の書き換え可能な記録媒体であり、試し書きで決定されたデータ記録パワーよりも低いパワー値による記録により、試し書きで決定した記録パワーが正常な記録がなされたか確認し、正常ではない場合には、試し書きで決定したデータ書き込みパワーを補正すること特徴とする請求項５に記載の光ディスク装置。
【請求項７】
半導体レーザから出射する記録又は再生用レーザ光により、情報を光ディスクへ記録又は、記録された情報を読み出し再生する光ディスクの記録再生方法において、
前記記録用レーザ光により情報を記録する前に、前記光ディスクのテストエリアへ試し書きを行う試し書き工程と、
仮の記録用レーザ光のパワーを設定し、この仮の記録用レーザ光のパワーを予め定めた所定幅内の上限側、下限側に変化させた試し書き用データを記録し、これらの読み出し確認による正常な記録の可不可を検出する検出工程と、
前記検出工程で正常な記録が不可であった場合には、前記仮の記録用レーザ光のパワーを前記所定幅内で正常な記録がなされるように設定を補正する補正工程と、を具備すること特徴とする光ディスクの記録再生方法。
【請求項８】
半導体レーザから出射する記録又は再生用レーザ光により、情報を光ディスクへ記録又は、記録された情報を読み出し再生する光ディスクの記録再生方法において、
前記記録用レーザ光により情報を記録する前に、前記光ディスクのテストエリアへ試し書きを行い、仮の記録用レーザ光のパワーを設定する工程と、
所定幅内で前記仮の記録用レーザ光のパワーよりも下限側の第１の記録用レーザ光のパワーにより試し書き用データを記録する第１の記録を行う工程と、
この第１の記録が不可であった場合には、前記下限側より高いパワーを設定する第１の補正を行い再記録を行うい工程と、
前記第１の記録が正常であった場合に、さらに順次下限側になるように設定を補正される第２の記録用レーザ光のパワーにより試し書き用データを記録する第２の記録を行う工程と、
この第２の記録が不可になった場合に、前記仮の記録用レーザ光のパワーを設定する工程と、を具備すること特徴とする光ディスクの記録再生方法。
【発明の詳細な説明】
【技術分野】
【０００１】
本発明は、データ記録パワーの設定が改善された光ディスク装置及びその記録再生方法に関する。
【背景技術】
【０００２】
一般に情報を記録するものとして、記録媒体に光ディスクを用いて光学的に情報を記録する光ディスク装置が知られている。光ディスクが、例えば３．５インチの光磁気ディスクの場合、２３０ＭＢ程度から５４０ＭＢや６４０ＭＢといった高密度記録の記録媒体が利用されている。
【０００３】
通常、光磁気ディスクへ情報を書き込む場合、その媒体毎に最適なデータ記録パワーに相違していることから、その媒体をローディングした際に、ゾーン毎に試し書きを行って最適なデータ記録パワーに調整する発光調整を行っている。
【０００４】
例えば、本発明の出願人が提案する特許文献１においては、レーザ制御手段により記録媒体上のテストエリアでデータ記録パワーを順次可変してデータの書き込みを行い、振幅測定手段によりテストエリアのデータの再生信号の振幅測定を行い、振幅測定結果が予め決められた所定の範囲に入ったときのパワー値に基づいて記録パワー演算手段が実際に使用されるデータ記録パワーを算出して、データ記録パワーを精度良く設定する技術が開示されている。
【０００５】
具体的には、まず、記録媒体に予め定めたテスト記録パワーで試し書きを行い、その情報信号を読み出して、読み出した信号の振幅が規定値内であれば、予め定められた係数（α1〜αn）倍した値を実際のデータ記録パワーとしている。そして、データ記録パワーライトが記録確認（ベリファイ）時にエラーとならなければ正常と判定する。このような試し書きを最小ゾーンと最大ゾーン（記録媒体の内周側と外周側）でそれぞれ行い、算出されたデータ記録パワーに対して、直線近似を行い、他のゾーンのデータ記録パワーを決定している。
【特許文献１】特開２０００−２０９５５号公報、段落番号［００２５］〜［００３４］
【発明の開示】
【発明が解決しようとする課題】
【０００６】
前述した特許文献１においては、試し書きで決定したデータ記録パワーで情報を記録し、その情報を読み出して確認し、正常なデータ記録パワーであるものとしている。従って、データ記録パワー自体を測定したものでないため、実際に最適なデータ記録パワーで記録が行われているかまでは確認することが出来ない。このようなデータ記録は、記録面（トラックやセクタ）に傷が無く、影響するようなノイズが無い状態においては、適正なデータ記録を実現している。しかし、情報の書き換え記録が可能な光ディスクは、一度情報が書き込まれた後、ユーザが使用しているため、再度、書き込むまでに大小の傷等がディスク表面につけられている可能性がある。
【０００７】
従って、試し書き時に使用したセクタに傷やへこみ又は、埃等の異物の付着等があった場合或いは、外部からのノイズがテスト記録パワーに重畳して試し書きが正常に行われていなかった場合には、対応できずに、本来のデータ記録パワーの最適値からずれている可能性がある。
【０００８】
例えば、正常な試し書きが行われた場合、図５（ａ）に示すように、記録された情報の再生信号におけるＤＵＴＹ信号や振幅検出信号から最適なデータ記録パワーを決定している。一方、図５（ｂ）に示すように、セクタに傷があったり、ノイズが重畳していた場合には、振幅検出信号やＤＵＴＹ検出信号に影響が出る。この影響が出た部分で振幅検出やＤＵＴＹ検出を行うと、誤った結果を検出することになる。この試し書きで求められた誤った結果に基づいて、データ記録パワーが決定されると、本来の最適なデータ記録パワーからずれてしまうという問題が発生する。また、最適なデータ記録パワーからずれてしまったとしても、正常に書き込まれるマージンの範囲内であれば、問題はない。しかし、このマージンを確認して書き込まれてはいない。
【０００９】
特に、書き換え（オーバーライト）型光ディスクにような記録媒体は、高パワーによる耐久性が低く、規定される以上のデータ記録パワーが印加されると、記録面が破壊されてしまう虞がある。例えば、光磁気ディスクのような記録媒体においては、イレーズ方向に磁化された初期化層という層が設けられ、その上層に記録層が設けられている。データ記録パワーが最適値から高めにずれている場合、この初期化層が必要以上のデータ記録パワーに晒されることになり、記録方向に磁化されてしまう。その結果として、上書き（又は書き換え）が出来なくなる。
【００１０】
そこで本発明は、光ディスクへ情報を記録するためのデータ記録パワーの補正により適正化を図り、記録面の傷や外部からのノイズの影響による変化に対するマージンを有するデータ記録を可能とする光ディスク装置及びその記録再生方法を提供することを目的とする。
【課題を解決するための手段】
【００１１】
本発明は上記目的を達成するために、第１に、半導体レーザから出射する記録又は再生用レーザ光により、情報を光ディスクへ記録又は、記録された情報を読み出し再生する光ディスク装置において、
前記記録用レーザ光により情報を記録する前に、前記光ディスクのテストエリアへ試し書きを行い、仮の記録用レーザ光のパワーを設定し、この仮の記録用レーザ光のパワーを予め定めた所定幅内の上限側、下限側に変化させた試し書き用データを記録し、これらの読み出し確認による正常な記録の可不可を検出して、不可であった場合には、前記仮の記録用レーザ光のパワーを前記所定幅内で正常な記録がなされるように設定を補正する制御部を具備する光ディスク装置を提供する。
【００１２】
さらに、第２に、記録または再生用レーザ光を出射する半導体レーザと、再生用電流及び記録用電流を前記半導体レーザに供給するレーザ駆動手段と、記録媒体に記録された記録情報を、前記半導体レーザからの再生光を用いて記録情報を読み出し再生する情報再生手段と、有し、記録媒体上のテストエリアで試し書きを行い、データ記録時のレーザ光のライトパワーを設定する光ディスク装置において、試し書きで決定したデータ記録パワーに対して、該データ記録パワーを変化させて情報を記録し、この記録された情報を再生した結果に基づき、前記試し書きで決定した前記データ記録パワーにより正常に記録されるか確認し、正常でない場合には、試し書きで決定したデータ記録パワーを補正する光ディスク装置を提供する。
【００１３】
また、半導体レーザから出射する記録又は再生用レーザ光により、情報を光ディスクへ記録又は、記録された情報を読み出し再生する光ディスクの記録再生方法において、前記記録用レーザ光により情報を記録する前に、前記光ディスクのテストエリアへ試し書きを行う試し書き工程と、仮の記録用レーザ光のパワーを設定し、この仮の記録用レーザ光のパワーを予め定めた所定幅内の上限側、下限側に変化させた試し書き用データを記録し、これらの読み出し確認による正常な記録の可不可を検出する検出工程と、前記検出工程で正常な記録が不可であった場合には、前記仮の記録用レーザ光のパワーを前記所定幅内で正常な記録がなされるように設定を補正する補正工程と、を具備する光ディスクの記録再生方法を提供する。
【００１４】
さらに、半導体レーザから出射する記録又は再生用レーザ光により、情報を光ディスクへ記録又は、記録された情報を読み出し再生する光ディスクの記録再生方法において、前記記録用レーザ光により情報を記録する前に、前記光ディスクのテストエリアへ試し書きを行い、仮の記録用レーザ光のパワーを設定する工程と、所定幅内で前記仮の記録用レーザ光のパワーよりも下限側の第１の記録用レーザ光のパワーにより試し書き用データを記録する第１の記録を行う工程と、この第１の記録が不可であった場合には、前記下限側より高いパワーを設定する第１の補正を行い再記録を行うい工程と、前記第１の記録が正常であった場合に、さらに順次下限側になるように設定を補正される第２の記録用レーザ光のパワーにより試し書き用データを記録する第２の記録を行う工程と、この第２の記録が不可になった場合に、前記仮の記録用レーザ光のパワーを設定する工程と、を具備する光ディスクの記録再生方法を提供する。
【００１５】
以上のような構成の光ディスク装置及びその記録再生方法は、試し書きにより求めた仮のデータ記録パワーＰｗに対して、所定幅内の上限側及び下限側の記録パワーに変化したデータ記録パワーＰｗで記録させた後、読み出し確認による正常な記録の可不可を測定し、また所定幅内で正常な記録となるようにデータ記録パワーＰｗを補正する。この所定幅内の上限側及び下限側が、記録用レーザ光のパワーに対する上限のマージン及び下限のマージンとなる。
【００１６】
また、試し書きにより求めた仮のデータ記録パワーＰｗに対して、所定幅内の第１の下限の記録パワーと、さらに低い第２の下限のデータ記録パワーにより、記録させた後、読み出し確認による正常な記録の可不可を測定し、所定幅内で正常な記録となるようにデータ記録パワーＰｗを補正する。この所定幅内の第１の下限によるマージンをさらに下限の第２の下限のマージンが保障する。
【発明の効果】
【００１７】
本発明によれば、光ディスクへ情報を記録するためのデータ記録パワーの補正により適正化を図り、記録面の傷や外部からのノイズの影響による変化に対するマージンを有するデータ記録を可能とする光ディスク装置及びその記録再生方法を提供することができる。
【００１８】
本発明は、試し書きで決定したデータ記録パワーに対して、加減の補正を行うことにより、マージンを確保（確認）し、高いデータ記録パワーによる光ディスクへの書き込みを無くし、光ディスクの破壊を防止して、安定したデータ記録を実現することができる。
【発明を実施するための最良の形態】
【００１９】
以下、図面を参照して本発明の実施例について詳細に説明する。  
図１には、本発明の光ディスク装置の概念的な構成例を示し説明する。
【００２０】
この光ディスク装置１は、情報の書き換え記録（オーバーライト）が可能な記録媒体例えば、光ディスク２と、この光ディスク２を回転駆動するスピンドルモータ３と、光ディスク２をスピンドルモータ３に装着するローディング機構４と、光ディスク２に対してレーザ光５によるデータの書き込み・読み取りを行う光ピックアップ６と、光ピックアップ６を光ディスク２の半径方向に移動する移動機構７と、レーザ光５を発光するレーザダイオード（ＬＤ）８と、反射したレーザ光を受光するフォトディテクタ（ＰＤ）９と、レーザダイオード８を駆動するレーザ駆動回路１０と、フォトディテクタ９の出力信号を波形整形及び２値化する情報再生回路１１と、構成部位全体の制御と情報処理を行う制御部１２とで構成される。
【００２１】
この制御部１２は、さらに、レーザ駆動回路１０を制御するレーザ制御回路１２ａと、情報再生回路１１からの情報信号を復調及びエラー訂正等の処理を行う情報処理回路１２ｂとを備えている。
【００２２】
前記光ディスク２は、情報の書き換え記録が可能な光磁気ディスクが好適する。尚、本実施形態では、情報の書き換え記録を例として説明しているが、追記型記録に対しても適用することができる。
【００２３】
光ピックアップ６は、レーザダイオード８とフォトディテクタ９を搭載して、光ディスク２の半径方向に移動機構７により移動され、レーザダイオード８が光ディスク２の所定の位置（セクタ）に対してレーザ光５を照射し、フォトディテクタ９で、その反射光を受光する。このレーザダイオード８は、レーザ制御回路１２ａからの指示によりレーザ駆動回路１０からレーザダイオード８へ電流が供給され、レーザ光５を照射している。
【００２４】
また、フォトディテクタ９は、光ディスク２からの反射光に基づく信号を生成して情報再生回路１１へ出力する。この情報再生回路１１は、フォトディテクタ９の出力信号に対して、波形整形及び２値化等の処理を施している。情報再生回路１１において処理された信号は、情報処理回路１２ｂへ送出される。この情報処理回路１２ｂでは、情報再生回路１１からの信号に復調及びエラー訂正等の処理を施し、光ディスク２に記録されていたデータを読み出す。この読み出されたデータは、ホストコンピュータ１３に送られ、ユーザにより各種の処理が行われる。
【００２５】
図２に示すフローチャートを参照して、このように構成された光ディスク装置におけるデータ記録動作について説明する、このデータ記録動作は、主として制御部１２の制御により行われる。
【００２６】
図１に示すように、ローディング機構４により光ディスク２をスピンドルモータ３に装着された後、制御部１２の制御により試し書きを行う光ディスク２のトラック（テストトラック等）ヘ光ピックアップ６を移動する（ステップＳ１）。
【００２７】
最初に、テスト記録パワーとして、設計及び経験的に定めた初期値（試し書き用データ）を設定し、テストトラックへ試し書きを行う。その後、試し書き用データをピックアップ６により読み出し、その読み出した値に基づき、仮のデータ記録パワーＰｗを設定する（ステップＳ２）。この設定は、例えば、予め制御部１２に内蔵するメモリ（図示せず）に格納されている、読み出した値と仮のデータ記録パワーＰｗとを関連づけたテーブルを用いて行う。
【００２８】
次に、仮のデータ記録パワーＰｗが下限側にマージンを有しているかチェックし補正する。すなわち、仮のデータ記録パワーを０．９倍して、試し書き用データをテストトラックへ記録を行う（ステップＳ３）。
【００２９】
ここで図３には、判定基準となるデータ記録パワーとエラーレート（誤り率）の関係を示す。レーザ光のスポット径と記録媒体の特性により、Ｐmaxの位置は変化するため、下限値Ｐminから１０〜３０％のマージンを確保したデータ記録パワーで記録することが望ましい。従って、仮のデータ記録パワーＰｗの０．９倍の記録パワーでも正常に記録できる。つまり、下限側に１０％のマージンを有していることを示唆している。勿論、この０．９倍は、マージンにより加減される数値である。
【００３０】
この０．９倍されたデータ記録パワーＰｗによる記録でも正常に記録されているかをベリファイ（読み出し確認）して良好か否かを判定する（ステップＳ４）。このベリファイにおいて、良好ではない場合には（ＮＯ）、そのパワー値が低すぎると判定される。そこで、不可となった仮のデータ記録パワーＰｗを１．１倍した新たなデータ記録パワーＰｗに補正する（ステップＳ５）。この新たなデータ記録パワーＰｗが予め設定した値例えば、上限値Ｐmaxを越えていないか否かを判定して（ステップＳ６）、上限値Ｐmaxを越えたならば（ＹＥＳ）、エラー処理を行う（ステップＳ７）。
【００３１】
しかし前記ステップＳ６において、新たなデータ記録パワーＰｗが上限値Ｐmaxを越えていなければ（ＹＥＳ）、前記ステップＳ３と同様に、不可となったデータ記録パワーＰｗを０．９倍して新たなデータ記録パワーＰｗとして試し書き用データをテストトラックへ記録を行い（ステップＳ８）、前記ステップＳ４に戻る。
【００３２】
また、前記ステップＳ４における判定で、０．９倍されたデータ記録パワーＰｗによる記録のベリファイが良好であった場合には（ＹＥＳ）、下限側に１０％のマージンを有していることを示唆している。
【００３３】
次に、ステップＳ４において正常（ベリファイＯＫ）とされたデータ記録パワーＰｗを１．１倍して記録を行う（ステップＳ９）。この１．１倍されたデータ記録パワーＰｗによる記録が正常に記録されているかであるかベリファイして良好か否かを判定する（ステップＳ１０）。このベリファイにおいて、良好ではない場合には（ＮＯ）、そのパワー値が高すぎると判定される。そこで、不可となったデータ記録パワーＰｗを０．９倍して、新たなデータ記録パワーＰｗとして補正する（ステップＳ１１）。この新たなデータ記録パワーＰｗは、予め設定した値例えば、下限値Ｐminを下回ったか否かを判定して（ステップＳ１２）、下限値Ｐminを下回ったならば（ＹＥＳ）、前記ステップＳ７に移行してエラー処理を行う。しかし、この新たなデータ記録パワーＰｗが下限値Ｐminを下回っていなければ（ＮＯ）、ステップＳ９に戻る。このステップＳ９においては、再度、前回のデータ記録パワーＰｗよりも０．９倍と小さくなった新たなデータ記録パワーＰｗにより記録を行うこととなる。
【００３４】
一方、ステップＳ１０の判定で、ベリファイが良好であった場合には（ＹＥＳ）、データ記録パワーＰｗは、１．１倍しても上限値Ｐmaxを上回らずに、上限側に１０％のマージンを有しているものと判定できる。以上の補正シーケンスに基づき、補正されたデータ記録パワーＰｗをデータエリアに、実際のデータを書き込むときのデータ記録パワーＰｗと決定する（ステップＳ１３）。
【００３５】
このような試し書きを光ディスクにおける内周側の最小ゾーン（ゾーン０）と外周側の最大ゾーン（ゾーンｎ）とでそれぞれ行い、それぞれ算出されたデータ記録パワーを用いて直線近似を行い、他のゾーンのデータ記録パワーを決定する。勿論、この２ヶ所試し書きだけではなく、中間のゾーンにおける試し書きを追加してもよい。
【００３６】
以上説明したように第１の実施例は、試し書きにより求めたデータ記録パワーＰｗに対して、上下限に１０％のマージンを有していることが確認でき、光ディスク面に傷等があっても、また外部からのノイズが重畳しても、安定してデータの記録が行われることを判定できる。尚、このマージンは、最大限のマージンを確保することが望ましいが、光ディスクや光ディスク装置によりそれぞれ特性や条件、設定環境等が異なるため、適宜設定するものとする。
【００３７】
次に、本発明の第２の実施例に係る光ディスク装置について、図４に示すフローチャートを参照して光ディスク装置におけるデータ記録動作について説明する。  
本実施例の光ディスク装置の構成は、前述した第１の実施例の構成と同等であり、作用が異なっている。通常、情報の書き換え記録（オーバーライト）が可能な光ディスク２は、あまり高い値の記録パワーによる記録では、光ディスク２が破壊されてしまう虞がある。前述した第１の実施例では、上下限に１０％のマージンを想定していたが、正常に記録できるのであれば、より低い値のデータ記録パワーによる記録の方が好ましい。つまり、上限値に達していなくとも高いデータ記録パワーＰｗでデータを記録させることは、あまり好ましくない場合もある。そこで本実施例では、第１の実施例よりも低いデータ記録パワーの補正を実現する。尚、図４に示すフローチャートにおいて、図２に示したフローチャートと同等のステップ工程には同じステップ符号を付して、その詳細な説明は省略する。
【００３８】
まず、スピンドルモータ３に装着された光ディスク２のテストトラックヘ光ピックアップ４を移動する（ステップＳ１）。このテストトラックへ試し書きを行い、その読み出した値に基づき、仮のデータ記録パワーＰｗを設定する（ステップＳ２）。
【００３９】
まず、仮のデータ記録パワーＰｗを０．９倍して試し書き用のデータを記録する（ステップＳ３）。
【００４０】
この０．９倍されたデータ記録パワーＰｗによる記録でも正常であるかをベリファイして良好か否かを判定する（ステップＳ４）。このベリファイにおいて、良好ではない場合には（ＮＯ）、不可となったデータ記録パワーＰｗを１．１倍した新たなデータ記録パワーＰｗに補正し（ステップＳ５）、この新たなデータ記録パワーＰｗが上限値Ｐmaxを越えていないか否かを判定しする（ステップＳ６）。上限値Ｐmaxを越えたならば（ＮＯ）、エラー処理を行う（ステップＳ７）。しかし、上限値Ｐmaxを越えていなければ（ＹＥＳ）、前記ステップＳ３と同様に、そのデータ記録パワーＰｗを０．９倍して新たなデータ記録パワーＰｗに補正して試し書き用データをテストトラックへ記録を行い（ステップＳ８）、前記ステップＳ４に戻る。
【００４１】
次に、前記ステップＳ４のベリファイにおいて、０．９倍されたデータ記録パワーＰｗによる記録のベリファイが良好であった、即ち、下限側に１０％のマージンを有していると判定された場合には（ＹＥＳ）、さらに下限側に４０％のマージンを想定する。つまり、正常となったデータ記録パワーＰｗを０．６倍して試し書き用データの記録を行う（ステップＳ２１）。
【００４２】
この０．６倍されたデータ記録パワーＰｗによる記録に対して正常に記録されたか否かをベリファイを行い判定する（ステップＳ２２）。このベリファイにおいて、良好であった場合には（ＹＥＳ）、この正常となったデータ記録パワーＰｗをさらに、０．９倍した新たなデータ記録パワーＰｗに補正する（ステップＳ２３）。この新たなデータ記録パワーＰｗが予め設定した値例えば、下限値Ｐminを下回っていないか否かを判定して（ステップＳ２４）、下限値Ｐminを下回ったならば（ＹＥＳ）、前記ステップＳ７に移行してエラー処理を行う。一方、この新たなデータ記録パワーＰｗが下限値Ｐminを下回っていなければ（ＮＯ）、ステップＳ２１へ戻る。このステップＳ２１では、この新たなデータ記録パワーＰｗに対して、前回と同様に、０．６倍のデータ記録パワーＰｗを設定して記録を行う。これは、前記ステップ４で下限側に１０％のマージンを有しているデータ記録パワーＰｗが、０．６倍されて記録された試し書きデータが以上であった場合には、下限側に４０％のマージンを有していること示唆している。
【００４３】
以下、ステップＳ２２において、ベリファイが良好である場合には、これらのステップ２１〜Ｓ２４を繰り返し行う。
【００４４】
また、前記ステップＳ２２において、ベリファイが良好でなかった場合には（ＮＯ）、仮のデータ記録パワーＰｗをデータエリアに実際のデータを書き込むときのデータ記録パワーＰｗと決定する（ステップＳ２５）。
【００４５】
以上のシーケンスにより、下限側に１０％以上４０％未満のマージンを有するデータ記録パワーＰｗをデータエリアに実際のデータを書き込むときのデータ記録パワーと決定する。
【００４６】
このような試し書きを光ディスクにおける内周側の最小ゾーン（ゾーン０）と外周側の最大ゾーン（ゾーンｎ）とでそれぞれ行い、それぞれ算出されたデータ記録パワーを用いて直線近似を行い、他のゾーンのデータ記録パワーを決定する。勿論、この２ヶ所試し書きだけではなく、中間のゾーンにおける試し書きを追加してもよい。
【００４７】
以上のような第２の実施例によれば、試し書きで決定した仮のデータ記録パワーの補正を行うことにより、高記録パワーに対して耐性が少ない情報の書き換え記録が可能な記録媒体、例えば光磁気ディスクに対して、下限側に１０％のデータ記録パワーに対するマージンが保障され、安定してデータの記録を行うことができる。試し書きによって決定した仮のデータ記録パワーが適正であるか否かを確認し、適正でない場合には適宜、補正を行うことで、データ記録パワーに対するマージンが確実に確保でき、適正なパワーレベルにより情報を記録することができる。
【図面の簡単な説明】
【００４８】
【図１】本発明の光ディスク装置の概念的な構成例を示し説明するための図である。
【図２】第１の実施例の光ディスク装置におけるデータ記録動作について説明するためのフローチャートである。
【図３】判定基準となるデータ記録パワーとエラーレート（誤り率）の関係を示す図である。
【図４】第２の実施例の光ディスク装置におけるデータ記録動作について説明するためのフローチャートである。
【図５】図５（ａ）は、記録された情報の再生信号における正常なＤＵＴＹ信号や振幅検出信号の例を示す図であり、図５（ｂ）は、記録された情報の再生信号における異常時のＤＵＴＹ信号や振幅検出信号の例を示す図である。
【符号の説明】
【００４９】
１…光ディスク装置、２…光ディスク、３…スピンドルモータ、４…ローディング機構、５…レーザ光、６…光ピックアップ、７…移動機構、８…レーザダイオード（ＬＤ）、９…フォトディテクタ（ＰＤ）、１０…レーザ駆動回路、１１…情報再生回路、１２…制御部、１２ａ…レーザ制御回路、１２ｂ…情報処理回路、１３…ホストコンピュータ。
【図１】
2005071533.tif 000003
【図２】
2005071533.tif 000004
【図３】
2005071533.tif 000005
【図４】
2005071533.tif 000006
【図５】
2005071533.tif 000007